(57)【要約】  【課題】切断刃が破損又は消耗した場合に、テープカッターごと廃棄しなければならないといった不都合を無くすと共に、多様な切断形状や使用方法に対応可能な汎用性の高いテープカッターを提供する。  【解決手段】リール２０の回転軸の一端を支承する一端軸受部が形成された正面部１１の一側に、この正面部に対して略直角方向に板面が延びる側面部１２を設けて断面略L字状のホルダ部材１０を構成し、上端部に切断刃を有する切断部材５０をホルダ部材の側面部に着脱可能に取り付けた。【選択図】図１
2009184819.tif 000002
【特許請求の範囲】
【請求項１】
リール（２０）の回転軸を支承する軸受部（１３ａ、１３ｂ）が形成された正面部（１１）と、該正面部（１１）の一側に設けられた側部（１２）と、を含んで構成されたホルダ部材（１０）と、
前記側部（１２）に着脱可能に取り付けられて上端部に切断刃（５１）を有する切断部材（５０）と、
からなることを特徴とするテープカッター。
【請求項２】
前記ホルダ部材（１０）は、リール（２０）の回転軸の一端を支承する一端軸受部（１３ａ、１３ｂ）が形成された正面部（１１）の一側に、該正面部（１１）に対して略直角方向に板面が延びる側面部（１２）を設けて断面略L字状に構成されたことを特徴とする請求項１に記載のテープカッター。
【請求項３】
前記リール（２０）の前記回転軸の他端を支承する他端軸受部材（３０）を更に含んで構成したことを特徴とする請求項１又は請求項２に記載のテープカッター。
【請求項４】
前記リール（２０）の回転軸を、前記リール（２０）の中心部に設けられた開口部（２３）とし、
前記一端軸受部（１３ａ、１３ｂ）と前記他端軸受部材（３０）との間に設けられた軸部材（４０）に前記開口部（２３）を挿通させて前記リール（２０）を支承したことを特徴とする請求項３に記載のテープカッター。
【請求項５】
前記切断部材（５０）に、前記切断刃（５１）が前記側部（１２）の上端に位置するように取り付けるための取付手段（５４ａ、５４ｂ）と、下端に位置するように取り付けるための取付手段（５４ｂ、５４ａ）とを設け、該切断部材（５０）を上下反転させて装着可能に構成したことを特徴とする請求項１〜請求項４の何れか１つの請求項に記載のテープカッター。
【発明の詳細な説明】
【技術分野】
【０００１】
本発明は、ロール状に巻回されたテープを回転可能に支持すると共に、繰り出されたテープを所望の長さに切断する卓上型のテープカッターであって、特に、切断刃の消耗や破損にも対応できる汎用性の高いテープカッターに関する。
【背景技術】
【０００２】
卓上型のテープカッターは、基台上に、ロール状に巻回されたテープを回転可能に支持するテープ支持部と、繰り出されたテープを所望の長さに切断する切断部を突出させた構造であり、テープ支持部と切断部との間の空間部に手を差し込んでテープを摘み、所望の長さにテープを引き出した後に切断するようになっている（特許文献１）。
【０００３】
店舗や事務所の備品として卓上に設置されるテープカッターにおいては、インテリアとして使用可能な意匠性の高いものが求められる傾向にある。
【特許文献１】特開平７−９７１２０号公報
【発明の開示】
【発明が解決しようとする課題】
【０００４】
しかしながら、切断部に設けられた切断刃が破損又は消耗した場合は、インテリアとしての使用価値があるにも関わらず、テープカッターごと廃棄しなければならないといった不都合があった。
また、様々な切断形状にテープを切断したい場合等、多様な使用状態に対応させたい場合意は、特別なテープカッターが必要であった。
【０００５】
そこで、本発明は、切断部に設けられた切断刃が破損又は消耗した場合に、テープカッターごと廃棄しなければならないといった不都合を無くすと共に、多様な切断形状や使用方法に対応可能な汎用性の高いテープカッターを提供することを目的とする。
【課題を解決するための手段】
【０００６】
上記課題を解決するために、本発明に係るテープカッターは、リールの回転軸を支承する軸受部が形成された正面部と該正面部の一側に設けられた側部とを含んで構成されたホルダ部材と、前記側部に着脱可能に取り付けられて上端部に切断刃を有する切断部材と、からなることを特徴とするものである。
この場合、前記ホルダ部材は、リールの回転軸の一端を支承する一端軸受部が形成された正面部の一側に、該正面部に対して略直角方向に板面が延びる側面部を設けて断面略L字状に構成されたものであってもよい。
【０００７】
また、前記リールの前記回転軸の他端を支承する他端軸受部材を更に含んで構成してもよい。
この場合、前記リールの回転軸を、前記リールの中心部に設けられた開口部とし、前記一端軸受部と前記他端軸受部材との間に設けられた軸部材に前記開口部を挿通させて前記リールを支承してもよい。
また、前記切断部材に、前記切断刃が前記側部の上端に位置するように取り付けるための取付手段と、下端に位置するように取り付けるための取付手段とを設け、該切断部材を上下反転させて装着可能にしてもよい。
【発明の効果】
【０００８】
請求項１に係るテープカッターは、ホルダ部材の側部に、上端部に切断刃を設けた切断部材を着脱可能に取り付けたので、切断刃が破損又は消耗した場合、切断部材のみを交換すればよく、テープカッターごと廃棄しなければならないといった不都合がない。
また、ギザギザ状や直線状など様々な切断刃の切断部材を取り揃えておくことで、所望の切断状態に合わせて切断部材を付け替えて使用することができる。
なお、このリールに装着されるテープは、帯状のものであっても、線状のものであってもよい。また、粘着性を有するものであってもよい。
【０００９】
請求項２に係るテープカッターは、リールの回転軸の一端を支承する一端軸受部が形成された正面部の一側に側面部を設け、ホルダ部材を断面略L字状に構成したため、正面視において、一端軸受部と切断刃との間に空間部が生じないようにすることができ、卓上に設置した際の意匠性が高い上に、埃等がテープに付着し難くなる。
一方、ホルダ部材の背面側には、一端軸受部と切断刃との間に空間が存在し、その空間部から手を差し入れて、リールに装着されたテープを引き出すことができるので、テープカッターとしての機能が損なわれることがない。
【００１０】
請求項３に係るテープカッターは、リールの回転軸の他端を支承する他端軸受部材を更に設けたので、リールがホルダ部材から外れるのを効果的に防止できる。
請求項４に係るテープカッターは、リールの中心部に設けられた開口部を、一端軸受部と他端軸受部材との間に設けられた軸部材に挿通させてリールを支承するので、リールの外周面にテープを固定させ、軸部材を中心としてリールを回転させることが可能となる。
【００１１】
請求項５に係るテープカッターは、ホルダ部材の側部に、上端部に切断刃を設けてなる切断部材を着脱可能に取り付け、この切断部材を上下反転させて装着できるようにしたので、１つの切断刃によって、切断部を左右何れの方向にも位置させることも可能となり、使用者の利き手の相違に柔軟に対応させることができる。
【発明を実施するための最良の形態】
【００１２】
本発明の好適な実施形態を、添付図面に基づいて説明する。なお、実施形態は以下の形態に限定されるものではなく、本発明の課題を解決し得るものであれば、他の態様も可能である。
【００１３】
図１は、本発明の実施形態に係るテープカッター１を示す斜視図である。このテープカッター１は、ロール状に巻回された接着テープを回転可能に支持すると共に、繰り出された接着テープを所望の長さに切断する卓上型のテープカッターであって、ホルダ部材１０と、リール２０と、他端軸受部材３０と、切断部材５０とによって構成される。
【００１４】
ホルダ部材１０は、長方形状の平面からなる正面部１１と、正面部に対して直交する方向に板面が延びる側面部１２によって、断面L字状に形成される。  
この正面部１１の裏面には、図２に示すように、リール２０の回転軸の一端を支承するための軸受１３ａ、１３ｂが上下２箇所に設けられている。
【００１５】
上方に設けられた第１の軸受１３ａは、図１に示す状態で使用される際に、リール２０が支承される部位であり、下方に設けられた第２の軸受１３ｂは、ホルダ部材１０を上下反転させて側面部１２を正面部１１の左側に位置させて使用する場合に、リール２０が支承される部位である。
ホルダ部材１０の上端部から第1の軸受１３ａまでの長さＭ１と、下端部から第２の軸受１３ｂまでの長さＭ２は同一であり、後述する他端軸受部材３０の脚部３１の長さにあわせて設計されている。
【００１６】
夫々の軸受１３ａ、１３ｂには、軸部材４０ａ、 ４０ｂが固定されている。上方位置の第１の軸部材４０ａは、リール２０を支承しつつ、他端軸受部材３０をホルダ部材１０に固定させるためのものであり、下方位置の第２の軸部材４０ｂは、下方位置において他端軸受部材３０とホルダ部材１０とを固定するためのものである。
軸部材４０ａ、４０ｂの取付状態を、図３を参照して説明する。図３は、ホルダ部材１０の正面部１１に取り付けられた化粧板を取り外した状態を示すものであり、夫々の軸受１３ａ、１３bに対応する位置に、他端軸受部材３０を取り付けるための取付機構４１が設けられている。
【００１７】
この取付機構４１は、補強部材４２及び保護壁４３に覆われており、これらを取り外すと、正面部１１の裏面部材１６に設けられた雌ネジ部に螺合された軸部材４０が表れ、その近傍に嵌合穴１７が表れる。この嵌合穴１７に、後述する他端軸受部材３０の嵌合爪部３４が嵌合されることによって、他端軸受部材３０がホルダ本体１０に固定される。
正面部１１の一側には、テーパ部１５を介し、直交方向に板面が延びる側面部１２が連続形成されている。この側面部１２の上端部と下端部には、図２に示すように、後述する切断部材５０を着脱可能に取り付けるための嵌合凸部１８ａ、1８ｂが設けられている。
【００１８】
第１の軸部材４０ａには、リール２０が支承されている。このリール２０の外周面には、図４に示すように、規格サイズの接着テープがしっかり装着できるようにリブ２２が形成されている。
リール２０中心の開口部２３の径は、他端軸受部材３０のパイプ部３６の外径よりも僅かに大きく設計されており、パイプ３６部にホルダ部材１０の軸部材４０ａが挿入されることによって、この軸部材４０ａを中心にリールが回転される（図２参照）。このようにして、リール２２０が他端軸受部材２３０とホルダ部材２１０の第１の軸受２１３ａに支承されるように構成している。
【００１９】
次に、他端軸受部材３０について説明する。
他端軸受部材３０は、脚部３１とフランジ部３２とによって構成される。
脚部３１は、他端軸受部材３０の安定性を高めると共に、下方位置において他端軸受部材３０をホルダ部材１０と固定するための部位であり、第２の軸受１３ｂの近傍に設けられた取付機構４１によってホルダ部材１０に対して着脱可能に取り付けられる。
【００２０】
脚部３１は、他端軸受部材３０が軸部材４０を介してホルダ部材１０に組み付けられた際に、リール２０の水平状態が維持されるような長さに設計されている。脚部３１の中間部から下方にかけて部位には、脚部３１に対して直角方向に基部が延びている。この基部の上縁部には、ホルダ部材１０の第２の軸部材４０ｂが挿入されるパイプ部３３が設けられており、その下に、他端軸受部材３０をホルダ本体１０に固定するための機構が設けられている。
【００２１】
脚部３１の下端からパイプ部３３までの高さＭ３は、ホルダ部材１０の前記正面部１１の上端部から第１の軸受１３ａまでの長さＭ１、及び下端部から第２の軸受１３ｂまでの長さＭ２と、同一に設定されている。
他端軸受部材３０をホルダ本体１０に固定するための機構は、基部の先端に設けられた嵌合爪部３４と、この嵌合爪部３４を嵌合方向へと付勢する図示しない弾性部材と、この弾性部材を弾性変形させるための操作部３５とによって構成される。
【００２２】
操作部３５は、脚部３１に設けられた開口部を介して脚部３１の側面両側に露呈されており（図５参照）、脚部２３１の方向に押圧することによって、内部に設けられた弾性部材を介して嵌合爪部３４を開放方向へと変位させ、ホルダ部材１０の嵌合穴１７における嵌合を解除させる。これによって、他端軸受部材３０をホルダ本体１０から取り外すことができる。
【００２３】
脚部３１の上端に設けられたフランジ部３２は、上方位置の第１の軸部材４０ａを介してリール２０を支承するための部位であり、リール側の面にはパイプ部３６が突設されている。
このパイプ部３６の内径は、脚部３１のパイプ部３３の内径と同一であり、外径は、リール２０が円滑に回転するようにリール２０の開口部２３の内径に合わせて設計されている。このパイプ部３６に、第１の軸部材４０ａを挿入することによって、ホルダ部材１０を上方位置において固定することができる。
【００２４】
ホルダ部材１０には、切断部材５０が着脱可能に取り付けられている。
この切断部材５０は、ホルダ部材１０の側面部１２の裏側に取り付けられており、図６に示すように、側面部１２の表側からは、切断刃５１を設けた上端取付部５２と、下端取付部５３が表れるだけである。この切断部材５０は、図７〜図１１に示すように、上端に切断刃５１を設け、上端及び下端の取付部５２、５３の裏側に、ホルダ本体１０に設けられた嵌合凸部１８ａ，１８ｂと嵌合可能な嵌合凹部５４ａ、５４ｂを設けている。
【００２５】
切断部材の夫々の嵌合凹部５４ａ、５４ｂは同一形状であり、ホルダ本体１０の何れの嵌合凸部１８ａ，１８ｂにも嵌合可能となっている。
切断部材５０の下端取付部５３の底部には、安定性を高めるための台座部５５を設けている。この場合、台座部５５を弾性部材で構成してもよいし、切断部材自体をポリプロピレン（ＰＰ）などの柔軟性の高い樹脂製の材料で構成してもよい。
【００２６】
上記構成のテープカッター１の使用状態を説明する。
使用者が右利きの場合は、図１に示すように、ホルダ部材１０の正面部１１に対して側面部１２が右側に位置するように設置される。
使用者が左利きの場合、又は店舗で使用する場合など客の側に正面部１１を向けたい場合は、図１２に示すように、側面部１２が使用者に対して左側に位置するように組みかえる。この場合、切断部材５０を取り外し、ホルダ部材１０を上下反転させた後に、ホルダ部材１０の上方に位置するようになった第２の嵌合凸部１８ｂに切断部材５０の上端取付部５２の嵌合凹部５４ａを嵌合させる。
【００２７】
切断部材５０の切断刃５１が破損又は消耗した場合は、切断部材５０のみを交換すればよいので、ホルダ部材１０を高品質な素材で製造し、インテリアの一部として長期間使用できるようにしてもよい。
また、様々な形状の切断刃の切断部材を取り揃えておき、適宜、切断部材を付け替えることによって、直線状やギザギザ状など所望の切断状態に切断することができるようにしてもよい。
【００２８】
なお、本発明のホルダ部材は、リール２０の回転軸を支承する軸受部１３ａ、１３ｂが形成された正面部１１と、この正面部１１の一側に設けられた側部と、を含んで構成されておればよいので、必ずしも断面L字状に構成されたものである必要はなく、断面コの字状であっても、断面ロの字状であってもよい。また、側部は、切断部材５０が装着可能な構造であればよく、必ずしも平面状でなくてもよい。
【００２９】
また、図１３に示すように、ホルダ部材１０の正面部１１の裏面に、凹状の軸受１３ａ、１３ｂを設け、ここに、直接リール２０’を支承させてもよい。
この場合、リール２０’は、規格サイズの接着テープが装着可能な外周面を有し、何れの軸受１３ａ、１３ｂにも承可能な軸径の回転軸２９によって回転される。リール２０’の回転軸２９の他端部を、他端軸受部材３０の内側に設けられた軸受３２に支承させることによって組み付けられる。
【００３０】
また、他端軸受部材３０は、脚部３１の下寄りの部位に、内側に向けて突出する突起部３３を設け、この突起部３３が、ホルダ部材１０の第２の軸受１３ｂに差し込まれることによって、他端軸受部材３０がホルダ部材１０に組み付けられるようにしてもよい。
更に、図１４に示すように、ホルダ部材１０の正面部１１に、リール２０の回転軸の一端を支承する一端軸受部を１箇所に形成したのみの構成としてもよい。
【産業上の利用可能性】
【００３１】
本発明は、事務用のテープカッターのみではなく、荷役又は製造に使用されるテープを繰り出して切断するカッターホルダーに適用することもできる。
【図面の簡単な説明】
【００３２】
【図１】本発明の実施形態に係るテープカッターを示す斜視図である。
【図２】上記テープカッターの他端軸受部材と切断部材を取り外した状態を示す斜視図である。
【図３】ホルダ部材の正面部の化粧板を外した状態を示す説明図である。
【図４】リールが他端軸受部材のパイプ部を介して支承される状態を示す説明図である。
【図５】テープカッターを裏側から見た状態を示す背面図である。
【図６】テープカッターを側面から見た状態を示す側面図である。
【図７】ホルダ部材の裏側に取り付けられる切断部材の正面図である。
【図８】上記切断部材の背面図である。
【図９】上記切断部材の側面図である。
【図１０】上記切断部材の平面図である。
【図１１】上記切断部材の底面図である。
【図１２】上下を反転させて使用する状態を示す斜視図である。
【図１３】上記実施形態の第１変形例を示す斜視図である。
【図１４】上記実施形態の第２変形例を示す斜視図である。
【符号の説明】
【００３３】
１・・・テープカッター
１０・・・ホルダ部材
１１・・・正面部
１２・・・側面部（側部）
１３ａ・・・第１の軸受（一端軸受部）
１３ｂ・・・第２の軸受（一端軸受部）
１５・・・テーパ部
１６…裏面部材
１７…嵌合穴
１８ａ、１９ｂ…嵌合凸部
２０・・・リール
２２…リブ
２３…空間部
２９・・・回転軸
３０・・・他端軸受部材
３１・・・脚部
３２・・・軸受
３３…パイプ部
３４…嵌合爪部
３５…操作部
３６…パイプ部
３７・・・突起部
４０ａ…第１の軸部材
４０ｂ…第２の軸部材
４１…取付機構
４２…補強部材
４３…保護壁
５０…切断部材
５１…切断刃
５２…上端取付部
５３…下端取付部
５４ａ，５４ｂ…嵌合凹部（取付手段）
５５…台座部
【図１】
2009184819.tif 000003
【図２】
2009184819.tif 000004
【図３】
2009184819.tif 000005
【図４】
2009184819.tif 000006
【図５】
2009184819.tif 000007
【図６】
2009184819.tif 000008
【図７】
2009184819.tif 000009
【図８】
2009184819.tif 000010
【図９】
2009184819.tif 000011
【図１０】
2009184819.tif 000012
【図１１】
2009184819.tif 000013
【図１２】
2009184819.tif 000014
【図１３】
2009184819.tif 000015
【図１４】
2009184819.tif 000016